(57)【要約】【課題】本発明は、二者間の音声通話に、インターネット網に接続された端末装置を参加させて三者間での音声通話を行うといった用途に使用可能な電話端末、および、この電話端末において利用可能な端末制御プログラムを提供することを目的とする。【解決手段】電話端末として機能する複合機は、ｓ１７０の処理で電話端末との回線が接続された状態で、ｓ２４０の処理において転送操作が行われることにより、ｓ２７０の処理でインターネット端末に対して接続を要求し、この要求にインターネット端末応答した場合（ｓ２８０の処理）には、この端末との回線をも接続された状態とすることができる。そして、このような状態となった以降、両端末との間で入出力される音声信号に基づく音声それぞれを送受話器類から入出力させることにより、複合機および両端末による三者間での音声通話を実現できる。【選択図】図１
2006287983.tif 000002
【特許請求の範囲】
【請求項１】
電話回線網およびインターネット網を含む複数の網のうちいずれかの網を介して通話相手側の端末装置である第１相手側端末との回線を接続し、自端末と前記第１相手側端末との通話のための音声信号の入出力が可能な状態とする第１接続手段を備えた電話端末であって、
前記第１接続手段により前記第１相手側端末との回線が接続され、前記電話端末と前記第１相手側端末との通話のための音声信号の入出力が可能な状態で、該第１相手側端末とは異なる端末装置である第２相手側端末への発呼の指令を受けた際に、該指令に基づき前記第２相手側端末を前記複数の網のうちいずれかの網を介して発呼し、該発呼に前記第２相手側端末が応答した場合には該第２相手側端末との回線を接続し、前記電話端末と前記第２相手側端末との通話のための音声信号の入出力が可能な状態とする第２接続手段と、
前記第１、第２接続手段により前記第１、第２相手側端末との回線それぞれが接続され、音声信号の入出力が可能な状態であることを条件として、前記第１、第２相手側端末のうち一方の相手側端末から入力される音声信号を他方の相手側端末へ向けて出力することによって、前記第１相手側端末と前記第２相手側端末との間において前記第１相手側端末と前記第２相手側端末との通話のための音声信号の中継を行う音声中継手段と、を備えている
ことを特徴とする電話端末。
【請求項２】
前記音声中継手段は、前記第１相手側端末との回線を構成する第１網と、前記第２相手側端末との回線を構成する第２網とが異なる網である場合、前記第１相手側端末から入力される音声信号を、前記第２網に伝送可能な形式に変換したうえで該第２網を介して前記第２相手側端末へ出力すると共に、該第２相手側端末から入力される音声信号を、前記第１網に伝送可能な形式に変換したうえで該第１網を介して前記第１相手側端末へ出力する
ことを特徴とする請求項１に記載の電話端末。
【請求項３】
電話回線網およびインターネット網を含む複数の網のうちいずれかの網を介して伝送される音声信号に基づく音声を送受話器から入出力させることにより音声通話を実現する電話端末を制御するための各種手順を、コンピュータシステムに実行させるための端末制御プログラムであって、
前記複数の網のうちいずれかの網を介して通話相手側の端末装置である第１相手側端末との回線を接続し、前記電話端末と前記第１相手側端末との通話のための音声信号の入出力が可能な状態とする第１接続手順と、
該第１接続手順において前記第１相手側端末との回線が接続され、前記電話端末と前記第１相手側端末との通話のための音声信号の入出力が可能な状態で、該第１相手側端末とは異なる端末装置である第２相手側端末への発呼の指令を受けた際に、該指令に基づき前記第２相手側端末を発呼し、該発呼に前記第２相手側端末が応答した場合には該第２相手側端末との回線を接続し、前記電話端末と前記第２相手側端末との通話のための音声信号の入出力が可能な状態とする第２接続手順と、
前記第１、第２接続手順において前記第１、第２相手側端末との回線それぞれが接続され、音声信号の入出力が可能な状態であることを条件として、前記第１、第２相手側端末のうち一方の相手側端末から入力される音声信号を他方の相手側端末へ向けて出力することによって、前記第１相手側端末と前記第２相手側端末との間において前記第１相手側端末と前記第２相手側端末との通話のための音声信号の中継を行う音声中継手順と、が含まれている
ことを特徴とする端末制御プログラム。
【発明の詳細な説明】
【技術分野】
【０００１】
本発明は、電話回線網およびインターネット網を含む複数の網のうちいずれかの網を介して伝送される音声信号に基づく音声通話を実現する電話端末に関する。
【背景技術】
【０００２】
現在、電話回線網を介して音声通話を行う周知の電話端末においては、第１の端末装置との音声通話中に第２の端末装置を呼び出して、その後、第１、第２の端末装置の二者間による音声通話を実現する転送機能を備えたものがある。
【０００３】
一方、近年では、インターネット網を介して音声通話を行うことができる端末装置が普及してきており、上述した周知の電話端末における転送機能で、電話回線網に接続された端末装置だけでなく、インターネット網に接続された端末装置への転送を実現できれば、音声通話に拘わる利便性が向上するため好適である。
【０００４】
このような転送機能は、以下に示すような電話回線網に接続された端末装置とインターネット網に接続された端末装置との間における音声通話を実現できる構成の一部を変更することによって実現できる。
【０００５】
電話回線網に接続された端末装置とインターネット網に接続された端末装置との間における音声通話を実現できる構成としては、例えば、電話回線網（公衆網）とインターネット網（ＬＡＮ回線）とを接続制御装置により接続しておき、この接続制御装置が、電話回線網に接続された端末装置（電話）からインターネット網に接続された端末装置（ＬＡＮ端末）への発呼（接続要求）中、インターネット網に接続された端末装置から転送メッセージを受けることにより、発呼先の端末装置が転送メッセージから求められる別の端末装置に変更される構成が提案されている（特許文献１参照）。そして、このような構成において、接続制御装置が、端末装置同士による二者間の音声通話中に、いずれの端末装置からでも転送メッセージを受けることができるようにすれば、電話回線網に接続された端末装置が、インターネット網に接続された別の端末装置への転送を実現できるようになるはずである。
【０００６】
【特許文献１】特開平７−２１２４９４号公報（第５頁）
【発明の開示】
【発明が解決しようとする課題】
【０００７】
しかし、このような構成においては、接続制御装置が端末装置から転送メッセージを受けた際、単に、メッセージを受けた端末装置との回線を、転送先の端末装置との回線に繋ぎ替えることにしかならず、二者間の音声通話に、インターネット網に接続された別の端末装置を参加させて三者間での音声通話を行うといった用途に使うことはできない。
【０００８】
本発明は、二者間の音声通話に、インターネット網に接続された端末装置を参加させて三者間での音声通話を行うといった用途に使用可能な電話端末、および、この電話端末において利用可能な端末制御プログラムを提供することを目的とする。
【課題を解決するための手段】
【０００９】
上記従来の課題に鑑みなされた本発明は、第１相手側端末との回線が音声通話可能に接続された状態で、第２接続手段に発呼を指令することによって、第２接続手段が第２相手側端末を発呼し、この発呼に第２相手側端末が応答した場合には第２相手側端末との回線を音声通話可能に接続した状態とすることができる第２接続手段を備えた電話端末としたものである。
【発明の効果】
【００１０】
請求項１に係る発明によれば、電話回線網に接続された第１相手側端末との回線を第１接続手段により接続した状態とし、インターネット網に接続された第２相手側端末との回線を第２接続手段により接続した状態とすることができるため、電話回線網を介して接続された端末装置との間における二者間の音声通話に、インターネット網に接続された端末装置を参加させて三者間での音声通話を行うといった用途に使用することができるとともに、第１相手側端末との音声通話中に、第２相手側端末を呼び出して、その後、第１、第２相手側端末との二者間の音声通話を実現する、といった転送機能を実現することができる。
【００１１】
請求項２に係る発明によれば、第１網と第２網とが異なる網である場合に、第１、第２相手側端末のうち一方の相手側端末から入力される音声信号を、出力先となる網において伝送可能な信号形式に変換したうえで他方の相手側端末へ向けて出力することができる。
【００１２】
請求項３に係る発明によれば、請求項１に記載の電話端末と同様の効果を得ることができる。
【発明を実施するための最良の形態】
【００１３】
請求項１に係る発明は、電話回線網およびインターネット網を含む複数の網のうちいずれかの網を介して通話相手側の端末装置である第１相手側端末との回線を接続し、自端末と前記第１相手側端末との通話のための音声信号の入出力が可能な状態とする第１接続手段を備えた電話端末であって、前記第１接続手段により前記第１相手側端末との回線が接続され、前記電話端末と前記第１相手側端末との通話のための音声信号の入出力が可能な状態で、該第１相手側端末とは異なる端末装置である第２相手側端末への発呼の指令を受けた際に、該指令に基づき前記第２相手側端末を前記複数の網のうちいずれかの網を介して発呼し、該発呼に前記第２相手側端末が応答した場合には該第２相手側端末との回線を接続し、前記電話端末と前記第２相手側端末との通話のための音声信号の入出力が可能な状態とする第２接続手段と、前記第１、第２接続手段により前記第１、第２相手側端末との回線それぞれが接続され、音声信号の入出力が可能な状態であることを条件として、前記第１、第２相手側端末のうち一方の相手側端末から入力される音声信号を他方の相手側端末へ向けて出力することによって、前記第１相手側端末と前記第２相手側端末との間において前記第１相手側端末と前記第２相手側端末との通話のための音声信号の中継を行う音声中継手段と、を備えていることを特徴とする電話端末である。
【００１４】
このように構成された電話端末によれば、第１相手側端末との回線が接続された状態で、第２接続手段に発呼を指令することによって、第２接続手段が第２相手側端末を発呼し、この発呼に第２相手側端末が応答した場合には第２相手側端末との回線を接続した状態とすることができる。そして、このような状態となった以降、第１相手側端末との間で入出力される音声信号に基づく音声だけでなく、第２相手側端末との間で入出力される音声信号に基づく音声を、送受話器から入出力させることによって、本電話端末、第１相手側端末および第２相手側端末による三者間での音声通話を実現できる。
【００１５】
また、第１、第２接続手段により第１、第２相手側端末との回線それぞれが接続された状態となって以降、音声中継手段によって、第１相手側端末と第２相手側端末との間における音声信号の中継が行われる。
【００１６】
なお、上述の第１接続手段は、第１相手側端末との回線を、複数の網のうちいずれかの網を介して接続した状態とする手段であって、例えば、第１相手側端末による着信に応答するための操作が利用者により行われた場合や、利用者の操作に基づく発呼に第１相手側端末が応答した場合などに、第１相手側端末との回線が接続された状態とする。
【００１７】
また、第２接続手段は、第２相手側端末との回線を、複数の網のうちいずれかの網を介して接続した状態とする手段であって、第１相手側端末との回線が接続された状態で第２相手側端末への発呼の指令を受けた際に、指令に基づき第２相手側端末を発呼し、この発呼に第２相手側端末が応答した場合に、第２相手側端末との回線が接続された状態とする。この第２接続手段は、例えば、電話回線網に接続された端末装置を発呼すること（電話番号で識別される端末装置への発呼）を指令されたら、この端末装置を第２相手側端末として電話回線網を介しての発呼を行う。また、インターネット網に接続された端末装置を発呼すること（例えば、ＩＰアドレスやＵＲＬ（Uniform Resource Locator）などの識別情報で識別される端末装置への接続）を指令された場合に、この端末装置を第２相手側端末としてインターネット網を介しての発呼（接続の要求）を行う。
【００１８】
請求項２に係る発明は、前記音声中継手段は、前記第１相手側端末との回線を構成する第１網と、前記第２相手側端末との回線を構成する第２網とが異なる網である場合、前記第１相手側端末から入力される音声信号を、前記第２網に伝送可能な形式に変換したうえで該第２網を介して前記第２相手側端末へ出力すると共に、該第２相手側端末から入力される音声信号を、前記第１網に伝送可能な形式に変換したうえで該第１網を介して前記第１相手側端末へ出力することを特徴とする請求項１に記載の電話端末である。
【００１９】
これにより、音声中継手段は、前記第１相手側端末との回線を構成する第１網と、前記第２相手側端末との回線を構成する第２網とが異なる網である場合、前記第１相手側端末から入力される音声信号を、前記第２網に伝送可能な形式に変換したうえで該第２網を介して前記第２相手側端末へ出力すると共に、該第２相手側端末から入力される音声信号を、前記第１網に伝送可能な形式に変換したうえで該第１網を介して前記第１相手側端末へ出力することができる。
【００２０】
請求項３に係る発明は、電話回線網およびインターネット網を含む複数の網のうちいずれかの網を介して伝送される音声信号に基づく音声を送受話器から入出力させることにより音声通話を実現する電話端末を制御するための各種手順を、コンピュータシステムに実行させるための端末制御プログラムであって、前記複数の網のうちいずれかの網を介して通話相手側の端末装置である第１相手側端末との回線を接続し、前記電話端末と前記第１相手側端末との通話のための音声信号の入出力が可能な状態とする第１接続手順と、該第１接続手順において前記第１相手側端末との回線が接続され、前記電話端末と前記第１相手側端末との通話のための音声信号の入出力が可能な状態で、該第１相手側端末とは異なる端末装置である第２相手側端末への発呼の指令を受けた際に、該指令に基づき前記第２相手側端末を発呼し、該発呼に前記第２相手側端末が応答した場合には該第２相手側端末との回線を接続し、前記電話端末と前記第２相手側端末との通話のための音声信号の入出力が可能な状態とする第２接続手順と、前記第１、第２接続手順において前記第１、第２相手側端末との回線それぞれが接続され、音声信号の入出力が可能な状態であることを条件として、前記第１、第２相手側端末のうち一方の相手側端末から入力される音声信号を他方の相手側端末へ向けて出力することによって、前記第１相手側端末と前記第２相手側端末との間において前記第１相手側端末と前記第２相手側端末との通話のための音声信号の中継を行う音声中継手順と、が含まれていることを特徴とする端末制御プログラムである。
【００２１】
これにより、電話端末を制御するコンピュータシステムは、請求項１に記載の電話端末の一部を構成することが可能で、請求項１に記載の電話端末と同様の作用を得ることができる。
【００２２】
なお、上記電話端末において、第２接続手段に対して発呼を指令するための構成は、特に限定されないが、例えば、利用者により第２相手側端末を指定する操作が行われた際に、第２接続手段に対して発呼が指令されるように構成すればよい。
【００２３】
より具体的には、前記第２相手側端末を利用者に指定させると共に、該指定された前記第２相手側端末への発呼を前記第２接続手段に指令する指定指令手段を備えており、前記第２接続手段は、前記第１接続手段により前記第１相手側端末との回線が接続された状態で、前記指定指令手段から前記第２接続手段への発呼の指令を受けた際に、該指令に基づき前記第２相手側端末を発呼する、ように構成すればよい。
【００２４】
このように構成された電話端末によれば、指定指令手段によって、利用者に第２相手側端末を指定させると共に、この指定された第２相手側端末への発呼を第２接続手段に指令することができる。そのため、第１相手側端末との間で音声通話を行っている本電話端末の利用者が、指定指令手段により第２相手側端末を指定することによって、この第２相手側端末に発呼することができる。
【００２５】
また、上述の第２接続手段に対して発呼を指令するための構成としては、第２相手側端末への発呼を指令する信号が第１相手側端末から入力された際に、第２接続手段に対して発呼が指令されるように構成してもよい。
【００２６】
より具体的には、前記第２接続手段は、前記第１接続手段により前記第１相手側端末との回線が接続された状態で、該第１相手側端末から、前記第２相手側端末への発呼を指令するための信号である指令信号を入力した際に、該指令信号に基づき前記第２相手側端末を発呼する、ように構成すればよい。
【００２７】
このように構成された電話端末によれば、指令信号による第２相手側端末への発呼を、第１相手側端末から第２接続手段に指令することができる。そのため、本電話端末との間で音声通話を行っている第１相手側端末の利用者が、第１相手側端末により本電話端末へ指令信号を出力させることによって、本電話端末に第２相手側端末を発呼させることができる。
【００２８】
なお、この第２接続手段が第２相手側端末を発呼する際の契機となる指令信号は、発呼すべき第２相手側端末を識別可能であればよく、その具体的な信号形式は限定されない。
【００２９】
この指令信号としては、例えば、ＤＴＭＦ（Dual Tone Multi Frequency）信号と同様の信号形式の信号を利用することが考えられる。通常、電話回線網に接続される周知の電話端末は、ダイヤルボタンの押下に伴ってＤＴＭＦ信号を電話回線網へ出力できるように構成されている。そのため、本電話端末を、指令信号としてＤＴＭＦ信号を利用するように構成すれば、特別な信号形式の指令信号を出力する構成を備えていない電話端末からであっても、第２相手側端末への発呼を第２接続手段に指令することができる。
【００３０】
このように指令信号としてＤＴＭＦ信号を利用するため、前記第２接続手段は、前記第１接続手段により前記第１相手側端末との回線が接続された状態で、該第１相手側端末から所定のＤＴＭＦ（Dual Tone Multi Frequency）信号を前記指令信号として入力した際に、該指令信号に基づき前記第２相手側端末を発呼する、ように構成するとよい。
【００３１】
このように構成された電話端末によれば、指令信号としてＤＴＭＦ信号を利用することができるため、特別な信号形式の指令信号を出力する構成を備えていない電話端末からであっても、第２相手側端末への発呼を第２接続手段に指令させることができる。
【００３２】
さらに、前記第２接続手段は、ＤＴＭＦ信号の種類または組合せにより識別される端末装置を前記第２相手側端末として発呼する、ように構成するとよい。
【００３３】
このように構成された電話端末によれば、第２接続手段は、第１相手側端末から入力するＤＴＭＦ信号の種類や組合せに応じて異なる端末装置を第２相手側端末として発呼する。そのため、本電話端末との間で音声通話を行っている第１相手側端末の利用者が、発呼を希望する第２相手側端末に対応する種類または組合せのＤＴＭＦ信号を第１相手側端末により出力させることによって、第１相手側端末の利用者が希望する第２相手側端末を本電話端末に発呼させることができる。
【００３４】
なお、上述の「ＤＴＭＦ信号の種類により識別される端末装置」とは、あらかじめＤＴＭＦ信号の種類それぞれに異なる第２相手側端末を対応づけておいた場合において、ＤＴＭＦ信号の種類それぞれに対応する第２相手側端末のことである。
【００３５】
また、「ＤＴＭＦ信号の組合せにより識別される端末装置」とは、あらかじめ２以上のＤＴＭＦ信号の組合せ毎に異なる第２相手側端末を対応づけておいた場合において、ＤＴＭＦ信号の組合せそれぞれに対応する第２相手側端末のことである。また、第２相手側端末が電話番号やＩＰアドレスなど複数の数字の組合せで識別される場合において、複数のＤＴＭＦ信号で示される数字の組合せにより識別される第２相手側端末のことである。
【００３６】
ところで、上述した請求項３以降に記載の電話端末においては、本電話端末による第２相手側端末の発呼を第１相手側端末から指令させることができる。そのため、本電話端末に、利用者の操作なしで本電話端末と第１相手側端末との回線を接続した状態とすることができる構成を備えれば、本電話端末を操作する利用者がいなくても、第１相手側端末と第２相手側端末との間における音声通話を実現することが期待できる。
【００３７】
このように、利用者の操作なしで本電話端末と第１相手側端末との回線を接続した状態とすることができる具体的な構成として、次に記載のように、前記第１接続手段は、前記第１相手側端末から着信を受けた際、利用者により着信に応答する操作が所定時間以内に行われなかった場合、前記第１相手側端末との回線を接続した状態とする、といった構成を考えることができる。
【００３８】
このように構成された電話端末によれば、本電話端末が着信を受けた際に、この着信に応答する操作を行うべき利用者がいない場合であっても、着信に応答する操作が所定時間以内に行われなければ、本電話端末と第１相手側端末との回線を接続した状態とすることができる。
【００３９】
また、電話端末は、前記第２接続手段による発呼に前記第２相手側端末が応答するまでの間、前記第１相手側端末に向けて所定の音声信号を出力する音声信号出力手段を備えている、ことを特徴とすれば、第２接続手段による発呼に第２相手側端末が応答するまでの間、所定の音声信号を第１相手側端末に向けて出力することができる。よって、本電話端末から出力される音声信号により、第２相手側端末が本電話端末の第２接続手段による発呼に応答したかどうかを、第１相手側端末において確認することができる。
【００４０】
なお、この音声信号出力手段は、例えば、音声通話を保留する際に利用される保留音の音声信号を出力する、ように構成すればよい。
【００４１】
このように構成すれば、第１相手側端末においては、保留音（送受話器として機能する装置から出力される）によって、第２相手側端末が本電話端末の第２接続手段による発呼に応答したかどうかを確認することができる。
【００４２】
また、上述の音声信号出力手段は、第２相手側端末を発呼中である旨を示す音声信号を出力する、ように構成してもよい。
【００４３】
このように構成すれば、第１相手側端末においては、発呼中である旨を示す音声（送受話器として機能する装置から出力される）によって、第２相手側端末が本電話端末の第２接続手段による発呼に応答したかどうかを確認することができる。
【００４４】
また、上述の音声中継手段は、第１、第２接続手段により第１、第２相手側端末との回線それぞれが接続された状態となって以降であれば、どのようなタイミングで音声信号の中継を開始するように構成するかは、特に限定されない。
【００４５】
例えば、前記音声中継手段は、前記第２接続手段により前記第２相手側端末との回線が接続された状態になると同時に、音声信号の中継を開始する、ように構成すればよい。
【００４６】
このように構成された電話端末によれば、第２接続手段により第２相手側端末との回線が接続された状態になると同時に、音声信号の中継を開始することができる。
【００４７】
また、前記音声中継手段は、前記第２接続手段により前記第２相手側端末との回線が接続された状態になった以降、所定の中継開始条件が成立した際に、音声信号の中継を開始する、ように構成してもよい。
【００４８】
このように構成された電話端末によれば、第２接続手段により第２相手側端末との回線が接続された状態になった以降、所定の中継開始条件が成立した際に、音声信号の中継を開始することができる。
【００４９】
なお、この「中継開始条件」は、利用者により所定の操作が行われた際に成立することとすればよい。
【００５０】
この場合、第２接続手段により第２相手側端末との回線が接続された状態になった以降、利用者により所定の操作が行われた際に、音声中継手段によって音声信号の中継を開始させることができる。
【００５１】
この音声中継手段が音声信号の中継を開始する際の契機となる「利用者の操作」について、その具体的な操作内容は特に限定されないが、例えば、音声信号の中継を開始するための専用の操作部（例えば、スイッチなど）を設け、この操作部が操作される、といった操作内容を考えることができる。また、音声信号の中継を開始するための特定の操作手順を設定しておき、この操作手順に従った操作が行われる、といった操作内容を考えることもできる。なお、操作手順としては、例えば、特定の操作ボタンを長押し（一定時間押し続ける）したり、複数の操作ボタンを特定の順番で操作したり、といったことが考えられる。
【００５２】
また、上述の「中継開始条件」は、第１相手側端末または第２相手側端末から所定の制御信号を入力したこととしてもよい。
【００５３】
この場合、第２接続手段により第２相手側端末との回線が接続された状態になった以降、所定の制御信号を入力した際に、音声中継手段によって音声信号の中継を開始させることができる。
【００５４】
この音声中継手段が音声信号の中継を開始する際の契機となる「制御信号」としては、例えば、ＤＴＭＦ信号を利用することが考えられる。通常、電話回線網に接続される電話端末は、ダイヤルボタンの押下に伴ってＤＴＭＦ信号を電話回線網へ出力できるように構成されている。そのため、指令信号としてＤＴＭＦ信号を利用するように構成すれば、特別な信号形式の制御信号を出力する構成を備えていない電話端末からでも、音声中継手段による音声信号の中継を開始させることができる。
【００５５】
このように制御信号としてＤＴＭＦ信号を利用するための構成としては、次に記載のように、前記音声中継手段は、前記第１相手側端末または前記第２相手側端末から所定のＤＴＭＦ（Dual Tone Multi Frequency）信号を前記制御信号として入力した場合に、前記中継開始条件が成立したとして音声信号の中継を開始する、ように構成するとよい。
【００５６】
このように構成された電話端末によれば、制御信号としてＤＴＭＦ信号を利用することができるため、特別な信号形式の制御信号を出力する構成を備えていない電話端末からでも、音声中継手段による音声信号の中継を開始させることができる。
【００５７】
なお、この構成におけるＤＴＭＦ信号は、例えば、特定種類のＤＴＭＦ信号、特定の組合せからなる複数のＤＴＭＦ信号などを「制御信号」として利用するＤＴＭＦ信号として設定しておけばよく、これによって、本電話端末との間で音声通話を行っている第１相手側端末または第２相手側端末の利用者が、特定の種類または組合せのＤＴＭＦ信号を第１相手側端末または第２相手側端末により出力させることによって、本電話端末の音声中継手段による音声信号の中継を開始させることができる。特に、この場合、特定種類または組み合わせのＤＴＭＦ信号が音声信号の中継を開始する際の契機となることを知っている利用者でなければ、音声信号の中継を開始させることができないため、利用者を認証するための仕組みとして利用することができる。
【００５８】
ところで、上述したように、本電話端末においては、第１相手側端末と第２相手側端末との間における二者間の音声通話を実現することができる。しかし、こうして音声通話が実現されて以降は、この音声通話が終了した後であっても、第１、第２相手側端末との回線が無用に接続されたままとなってしまう恐れがある。
【００５９】
例えば、本電話端末において、第１相手側端末と第２相手側端末との間における音声通話が実現されて以降に、本電話端末を操作する利用者がいないと、第１相手側端末と第２相手側端末との間における音声通話が終了した後であっても、両者との回線を切断する操作が行われなくなってしまう。これにより、第１、第２相手側端末との回線が無用に接続されたままとなってしまう。
【００６０】
このような第１、第２相手側端末との回線が無用に接続されたままとなることを防止するための構成として、例えば、次に記載のように、前記第１相手側端末から入力される音声信号に基づいて、該第１相手側端末との間における音声通話が終了されたことを検出する第１終了検出手段を備えており、前記第１接続手段は、前記第１終了検出手段により音声通話の終了が検出された際に、前記第１相手側端末との回線を切断した状態とし、前記第２接続手段は、前記第２相手側端末との回線を接続した状態とした以降、前記第１終了検出手段により音声通話の終了が検出された際に、前記第２相手側端末との回線を切断した状態とする、ように構成するとよい。
【００６１】
このように構成された電話端末によれば、第２相手側端末との回線を接続された状態とした以降、第１終了検出手段により音声通話の終了が検出された際に、第１、第２接続手段により第１、２相手側端末との回線を切断した状態とすることができる。よって、第１相手側端末と第２相手側端末との間における音声通話が終了した後、第２相手側端末との回線が接続されたままとなってしまう、といったことを防止できる。
【００６２】
この第１終了検出手段が音声通話が終了したことを検出するための構成としては、例えば、次に記載のように、前記第１終了検出手段は、前記第１相手側端末から音声通話の終了を示す終話信号を入力したことを音声通話が終了したこととして検出する、といった構成を考えることができる。
【００６３】
このように構成された電話端末によれば、第１終了検出手段により第１相手側端末から終話信号を入力したことを音声通話が終了したこととして検出することができる。
【００６４】
また、第１、第２相手側端末との回線が無用に接続されたままとなることを防止するための別の構成としては、次に記載のように、前記第２相手側端末から入力される音声信号に基づいて、該第２相手側端末との間における音声通話が終了されたことを検出する第２終了検出手段を備えており、前記第２接続手段は、前記第２終了検出手段により音声通話の終了が検出された際に、前記第２相手側端末との回線を切断した状態とし、前記第１接続手段は、前記第２接続手段により前記第２相手側端末との回線が接続された状態となった以降、前記第２終了検出手段により音声通話の終了が検出された際に、前記第１相手側端末との回線を切断した状態とする、ように構成するとよい。
【００６５】
このように構成された電話端末によれば、第２相手側端末との回線を接続された状態とした以降、第２終了検出手段により音声通話の終了が検出された際に、第１、第２接続手段により第１、２相手側端末との回線を切断した状態とすることができる。よって、第１相手側端末と第２相手側端末との間における音声通話が終了した後、第２相手側端末との回線が接続されたままとなってしまう、といったことを防止できる。
【００６６】
この第１終了検出手段が音声通話が終了したことを検出するための構成としては、例えば、次に記載のように、
前記第２終了検出手段は、前記第２相手側端末から音声通話の終了を示す終話信号を入力したことを音声通話が終了したこととして検出する、といった構成を考えることができる。
【００６７】
このように構成された電話端末によれば、第２終了検出手段により第２相手側端末から終話信号を入力したことを音声通話が終了したこととして検出することができる。
【００６８】
さらに、端末制御プログラムは、例えば、ＦＤ、ＣＤ−ＲＯＭ、メモリーカードなどの記録媒体、インターネットなどの通信回線網を介して、電話端末自身、コンピュータシステム、または、これらを利用する利用者に提供されるものである。また、これらの端末制御プログラムを実行するコンピュータシステムとしては、例えば、電話端末に内蔵されたコンピュータシステム、電話端末に無線または有線の通信路を介してデータ通信可能に接続されたコンピュータシステムなどを利用することができる。
【実施例】
【００６９】
次に本発明の構成を複合機１に適用した例を説明する。
【００７０】
（実施例１）
複合機１は、電話回線網１００を介して音声通話を実現する機能、インターネット網２００を介したデータ通信を行う機能などを有する装置であって、図１に示すように、制御部１０、録再部１２、ハンドセット２２、無線処理部２４、ユーザインターフェース部（以降、ユーザＩ／Ｆとする）４０、ＰＣインターフェース部（以降、ＰＣＩ／Ｆとする）５０、通信制御部６０、回線制御部７０などがバス８０を介して接続されてなるものであって、さらに、複合機１本体（無線処理部２４）との間で無線通信を行う無線通話用の子機端末９０をも備えている。
【００７１】
制御部１０は、制御部１０自身の備えるメモリに記憶されている処理手順に従って、複合機１の各構成要素にバス経由で制御信号を送ることによって、複合機１全体の動作を制御する。
【００７２】
録再部１２は、あらかじめ記録された各種音声信号を再生するメッセージ再生部１２ａと、留守録によるメッセージを音声信号として記録するメッセージ録音部１２ｂとからなり、メッセージ再生部１２ａには、着信を受けた際に利用される呼出音（発呼中である旨を示す音声）、音声通話を保留する際に利用される保留音、留守録機能によりメッセージの録音を開始する旨を示す留守録メッセージなどの音声信号が記録されている。
【００７３】
ハンドセット２２は、複合機１本体から取り外した状態で使用する送受話器である。
【００７４】
無線処理部２４は、子機端末９０との間で音声信号を含めた各種信号を無線通信で送受信することにより無線通話を実現する。
【００７５】
ユーザＩ／Ｆ４０は、操作キー４２、各種情報を表示する表示パネル４４、スピーカおよびスピーカを駆動する駆動回路からなるスピーカ部４６などで構成される。これらのうち、操作キー４２は、複数の数字キー、音声通話の保留を開始・終了するための保留キー、後述する通話処理（図２参照）において転送を行う際に利用する転送キーなどで構成される。
【００７６】
ＰＣＩ／Ｆ５０は、複合機１を通信ケーブル経由でコンピュータシステムと接続するためのインターフェースであって、これによって、複合機１−コンピュータシステム間におけるデータ通信を可能とすることができる。
【００７７】
通信制御部６０は、ルータ制御部６２、ハブ６４、音声処理部６６、変換部６８などからなる。これらのうち、ルータ制御部６２は、インターネット網２００からハブ６４およびハブ６４からインターネット網２００に向かうパケット単位のデータ（以降、ＩＰパケットとする）を中継するものであって、周知のルータと同様に機能するものである。また、ハブ６４は、ルータ制御部６２から入力されたＩＰパケットを複数のポートそれぞれに出力すると共に、複数のポートから入力されるＩＰパケットをルータ制御部６２へ出力する。また、音声処理部６６は、ルータ制御部６２からハブ６４経由で入力したＩＰパケットに基づき音声信号を生成し、この音声信号を変換部６８へ出力すると共に、変換部６８から入力した音声信号に基づきＩＰパケットを生成し、このＩＰパケットをハブ６４経由でルータ制御部６２へ出力する。そして、変換部６８は、音声処理部６６から入力した音声信号をデジタル−アナログ変換して回線制御部７０に出力すると共に、回線制御部７０から入力した音声信号をアナログ−デジタル変換して音声処理部６６に出力する。こうして、インターネット網２００からＩＰパケットとして入力される音声信号が、回線制御部７０を介して送受話器類から音声として出力されると共に、送受話器類から音声として入力される音声信号が、回線制御部７０を介して通信制御部６０からＩＰパケットとして出力され、これにより、複合機１は、インターネット網２００を介した音声通話を実現する。なお、このようなインターネット網２００を介した音声通話を実現するための機能を、以降、インターネット通話機能とする。
【００７８】
回線制御部７０は、複合機１外部からの音声信号の入力および複合機１外部への音声信号の出力を行うと共に、複合機１外部との間で入出力される信号の伝送先および伝送元の伝送経路、および、複合機１外部との信号の入出力に使用する伝送経路を設定する。
【００７９】
まず、「複合機１外部との間で入出力される音声信号の伝送先および伝送元の伝送経路」は、送受話器として機能する各構成（ハンドセット２２および子機端末９０；以降、送受話器類とする）により通話を開始するための操作（以降、オフフック操作とする）が行われた際に、回線制御部７０からオフフック操作の行われた送受話器類に至る経路が上述の伝送経路として設定され、この経路を音声信号が伝送可能な状態となる。具体的には、ハンドセット２２が複合機１本体から取り外された場合は回線制御部７０からハンドセット２２に至る経路が上述の伝送経路に設定され、子機端末９０によりオフフック操作（後述する通話開始キーの押下）が行われた場合は回線制御部７０から子機端末９０（無線処理部２４）に至る経路が上述の伝送経路に設定される。こうして設定された伝送経路は、送受話器類により通話を終了するための操作（以降、オンフック操作とする）が行われた際に解除され、この経路を音声信号が伝送されない状態となる。具体的には、ハンドセット２２が複合機１本体に戻された場合、および、子機端末９０によりオンフック操作（後述する通話終了キーの押下）が行われた場合に解除される。
【００８０】
一方、「複合機１外部との音声信号の入出力に使用する伝送経路」は、初期状態として回線制御部７０から電話回線網１００に至る経路に設定されており、外部から電話回線網１００を介して音声信号が入出力可能な状態とされている。しかし、オフフック操作の後に通話相手側となるインターネット端末のＩＰアドレスを指定することにより、このインターネット端末との回線の接続を要求するための操作（以降、インターネット発呼操作とする）が行われた場合、および、インターネット網２００（通信制御部６０）から着信（複合機１との接続を要求する信号）を受けた後にオフフック操作が行われた場合、回線制御部７０から通信制御部６０（つまり、インターネット網２００）に至る経路が上述の伝送経路として設定され、この経路を音声信号が入出力可能な状態とされる。こうして、通信制御部６０が上述の伝送経路として設定された以降は、オンフック操作が行われることによって、回線制御部７０から通信制御部６０に至る経路が上述の伝送経路として設定し直される。
【００８１】
また、子機端末９０は、子機端末９０全体の動作を制御する制御部９１、スピーカとマイクおよびこれらを駆動する駆動回路からなる送受話部９２、複数のキーで構成される操作キー９３、各種情報を表示する表示パネル９４、あらかじめ記録された各種音声信号を再生する再生部９５、再生部９５により再生された音声信号に基づく音声を出力するスピーカおよびスピーカを駆動する駆動回路からなるスピーカ部９６、複合機１本体（の無線処理部２４）との間で音声信号を含めた各種信号を無線通信により送受信する無線処理部９７などを備えている。この子機端末９０の備える操作キー９３は、音声通話を開始するための通話開始キー、音声通話を終了するための通話終了キー、音声通話の保留を開始・終了するための保留キー、後述する通話処理（図２参照）において転送を行う際に利用する転送キーなどからなる。また、再生部９５には、着信を受けた際に利用される呼出音、音声通話を保留する際に利用される保留音などの音声信号が記録されている。さらに、この子機端末９０は、操作キー９３が操作された際、操作内容を示す各種コマンドを複合機１本体（の無線処理部２４）に送信するように構成されており、このコマンドを受信した複合機１（の制御部１０）は、コマンドに基づいて、子機端末９０の操作キー９３が操作されたことの検出および操作内容を特定可能である。
【００８２】
なお、詳細な説明は省略するが、この複合機１において、通信制御部６０からインターネット網２００までに至る通信経路のうち一部の区間（利用者側から電話局側までの区間）は、回線制御部７０から電話回線網１００に至る区間を接続する電話回線が併用されている。この区間においては、ＡＤＳＬ（asymmetric digitalsubscriber line）技術によって、電話回線網１００を介して伝送される信号と、インターネット網２００を介して伝送されるＩＰパケットとが重畳された状態で伝送される。
【００８３】
−複合機１の制御部１０が実行する通話処理−
以下に、複合機１の備える制御部１０が実行する通話処理の処理手順を、図２に基づいて説明する。この通話処理は、複合機１が起動（電源ＯＮ）してから終了（電源ＯＦＦ）するまでの間、繰り返し実行される。
【００８４】
まず、制御部１０は、電話回線網１００経由で電話端末（例えば、図３における電話端末ａ）から着信を受けたかどうかをチェックする（ｓ１１０）。
【００８５】
このｓ１１０の処理で電話端末ａから着信を受けたら（ｓ１１０：ＹＥＳ）、制御部１０は、呼出音の出力を開始させる（ｓ１２０）。この処理においては、呼出音の再生を開始するための制御信号が録再部１２に出力され、この制御信号を入力した録再部１２がメッセージ再生部１２ａにより呼出音の再生を開始する。そして、この呼出音の音声信号がユーザＩ／Ｆ４０に繰り返し出力され、これにより、ユーザＩ／Ｆ４０のスピーカ部４６が呼出音の出力を開始する。また、このｓ１２０の処理においては、呼出音の再生を開始するための制御信号が無線処理部２４を介して子機端末９０にも送信され、この制御信号を受信した子機端末９０が再生部９５により呼出音の再生を開始すると共に、この呼出音をスピーカ部９６により出力する。
【００８６】
次に、制御部１０は、送受話器類のいずれかによりオフフック操作が行われたかどうかをチェックする（ｓ１３０）。
【００８７】
このｓ１３０の処理で、オフフック操作が行われていなければ（ｓ１３０：ＮＯ）、制御部１０は、ｓ１１０の処理で受けた着信が継続しているかどうかをチェックし（ｓ１４０）、継続していれば（ｓ１４０：ＹＥＳ）、ｓ１３０の処理へ戻る。
【００８８】
一方、ｓ１４０の処理で、着信が継続していなければ（ｓ１４０：ＮＯ）、制御部１０は、呼出音の出力を終了させる（ｓ１５０）。この処理においては、呼出音の再生を終了するための制御信号が録再部１２に出力され、この制御信号を入力した録再部１２がメッセージ再生部１２ａによる呼出音の再生を終了する。これにより、ユーザＩ／Ｆ４０のスピーカ部４６が呼出音の出力を終了する。また、このｓ１２０の処理においては、呼出音の再生を終了するための制御信号が無線処理部２４を介して子機端末９０にも送信され、この制御信号を受信した子機端末９０が再生部９５による呼出音の再生を終了する。
【００８９】
このｓ１５０の処理を終えた後、制御部１０は、ｓ１１０の処理へ戻る。
【００９０】
また、ｓ１３０の処理で、オフフック操作が行われたら（ｓ１３０：ＹＥＳ）、制御部１０は、呼出音の出力を終了させる（ｓ１６０）。この処理は、ｓ１５０の処理と同様の処理である。
【００９１】
次に、制御部１０は、複合機１外部との間で入出力される音声信号の伝送先および伝送元の伝送経路として、ｓ１３０の処理でオフフック操作が行われた送受話器類から回線制御部７０に至る経路を設定させると共に、複合機１と電話端末ａとの回線を接続する（ｓ１７０）。この処理においては、ｓ１３０の処理でオフフック操作が行われた送受話器類から回線制御部７０に至る経路を上述の伝送経路として設定するための制御信号が回線制御部７０に出力され、この制御信号を入力した回線制御部７０が、送受話器類から回線制御部７０に至る経路を上述の伝送経路として設定し、この経路に、複合機１外部との間で入出力される音声信号が入出力可能な状態とする。また、このｓ１７０の処理においては、設定された伝送経路が電話回線網１００に接続されることによって、複合機１から電話端末ａに至る伝送経路が形成され、複合機１と電話端末ａとの回線が接続された状態となる。こうして、複合機１と電話端末ａとの間における音声通話が開始される。
【００９２】
また、ｓ１１０の処理で、電話回線網１００経由で着信を受けていなければ（ｓ１１０：ＮＯ）、制御部１０は、電話発呼操作が行われたかどうかをチェックする（ｓ１８０）。この「電話発呼操作」とは、電話回線網１００経由で呼び出すべき電話端末（例えば、図３における電話端末ａ）を指定するための操作であって、ハンドセット２２によるオフフック操作の後にユーザＩ／Ｆ４０の操作キー４２で電話端末ａの電話番号を入力する操作や、子機端末９０によるオフフック操作の後に子機端末９０の操作キー９３で電話端末ａの電話番号を入力する操作のことである。
【００９３】
このｓ１８０の処理で、電話発呼操作が行われていなければ（ｓ１８０：ＮＯ）、制御部１０は、ｓ１１０の処理へ戻る。
【００９４】
一方、ｓ１８０の処理で、電話発呼操作が行われていれば（ｓ１８０：ＹＥＳ）、制御部１０は、この電話発呼操作により指定された電話端末ａの発呼を行う（ｓ１９０）。この処理においては、ｓ１８０の処理で指定された電話番号への発呼を指令するための信号（選択信号）を電話回線網１００へ出力することで発呼が行われる。
【００９５】
次に、制御部１０は、複合機１外部との間で入出力される音声信号の伝送先および伝送元の伝送経路として、ｓ１８０の処理で電話発呼操作が行われた送受話器類から回線制御部７０に至る経路を設定させると共に、複合機１と電話端末ａとの回線を接続する（ｓ２００）。この処理においては、ｓ１８０の処理で発呼操作が行われた送受話器類から回線制御部７０に至る経路を上述の伝送経路として設定するための制御信号が回線制御部７０に出力され、この制御信号を入力した回線制御部７０が、送受話器類から回線制御部７０に至る経路を上述の伝送経路として設定し、この経路に、複合機１外部との間で入出力される音声信号が入出力可能な状態とする。また、このｓ２００処理においては、設定された伝送経路が電話回線網１００に接続されることによって、複合機１から電話端末ａ最寄りの交換機に至る伝送経路が形成され、複合機１と電話端末ａ最寄りの交換機との回線が接続された状態となる。そして、以降の処理（ｓ２１０の処理）で、ｓ１９０の処理による発呼に電話端末ａが応答した場合に、ｓ１７０の処理と同様、複合機１と電話端末ａとの回線が接続された状態となる。
【００９６】
次に、制御部１０は、ｓ１９０の処理による発呼に電話端末ａが応答したかどうかをチェックする（ｓ２１０）。
【００９７】
このｓ２１０の処理で電話端末ａが応答しない場合（ｓ２１０：ＮＯ）、制御部１０は、オンフック操作が行われなければ（ｓ２２０：ＮＯ）、ｓ２１０の処理へ戻る。
【００９８】
一方、ｓ２２０の処理で、オンフック操作が行われたら（ｓ２２０：ＹＥＳ）、制御部１０は、ｓ２００の処理で設定された伝送経路を解除させると共に、複合機１と電話端末ａとの回線を切断する（ｓ２３０）。この処理においては、ｓ２００の処理で設定された伝送経路を解除するための制御信号が回線制御部７０に出力され、この制御信号を入力した回線制御部７０が、送受話器類から回線制御部７０に至る経路の設定を解除し、この経路に、複合機１外部との間で入出力される音声信号が入出力されない状態とする。また、このｓ２３０処理においては、設定された伝送経路が解除されることに伴い、この伝送経路が電話回線網１００から切断され、これによって、複合機１から電話端末ａ最寄りの交換機に至る伝送経路が開放され、複合機１と電話端末ａ最寄りの交換機との回線が切断された状態となる。
【００９９】
このｓ２３０の処理を終えた後、制御部１０は、ｓ１１０の処理へ戻る。
【０１００】
こうして、ｓ２１０の処理で電話端末ａが応答すると（ｓ２１０：ＹＥＳ）、複合機１と電話端末ａとの回線が接続された状態となり、両端末間における音声通話が開始される。
【０１０１】
また、制御部１０は、ｓ１７０の処理を終えた後、または、ｓ２１０の処理で電話端末ａが応答した場合（ｓ２１０：ＹＥＳ）、音声通話の転送を行うための転送操作が行われたかどうかをチェックする（ｓ２４０）。この「転送操作」とは、インターネット網２００に接続されたインターネット端末（例えば、図３における複合機（複合機１と同じ構成；以降、インターネット端末とする）ｂ）に音声通話を転送するための操作であって、本実施形態においては、ｓ１７０またはｓ２００の処理で設定された送受話器類の操作キー４２、９３を構成する転送キーを押下した後、操作キー４２、９３を構成する数字キーでインターネット発呼操作を行う、といった操作内容のことである。このｓ２４０の処理においては、転送操作に伴う信号（指令信号）が操作キー４２、９３から入力されたかどうかがチェックされる。
【０１０２】
このｓ２４０の処理で、転送操作が行われていなければ（ｓ２４０：ＮＯ）、制御部１０は、オンフック操作が行われたかどうかをチェックし（ｓ２５０）、オンフック操作が行われていなければ（ｓ２５０：ＮＯ）、２４０の処理へ戻る。
【０１０３】
一方、ｓ２５０の処理でオンフック操作が行われていれば（ｓ２５０：ＹＥＳ）、制御部１０は、ｓ１７０の処理で設定された伝送経路を解除させると共に、複合機１と電話端末ａとの回線を切断する（ｓ２６０）。この処理においては、ｓ１７０の処理で設定された伝送経路を解除するための制御信号が回線制御部７０に出力され、この制御信号を入力した回線制御部７０が、送受話器類から回線制御部７０に至る経路の設定を解除し、この経路に、複合機１外部との間で入出力される音声信号が入出力されない状態とする。また、このｓ２６０処理においては、設定された伝送経路が解除されることに伴い、この伝送経路が電話回線網１００から切断され、これによって、複合機１から電話端末ａ最寄りの交換機に至る伝送経路が開放され、複合機１と電話端末ａ最寄りの交換機との回線が切断された状態となる。
【０１０４】
このｓ２６０の処理を終えた後、制御部１０は、ｓ１１０の処理へ戻る。
【０１０５】
また、ｓ２４０の処理で、転送操作が行われていれば（ｓ２４０：ＹＥＳ）、制御部１０は、転送操作（におけるインターネット発呼操作）により指定されたＩＰアドレスのインターネット端末ｂに対して回線の接続を要求する（ｓ２７０）。この処理においては、転送操作により指定されたＩＰアドレスのインターネット端末ｂとの回線を接続（コネクションを確立）するための各種信号の入出力が、このインターネット端末ｂとの間で開始される。なお、複合機１は、このｓ２７０の処理による要求にインターネット端末ｂが応答する（ｓ２７０の処理による各種信号の入出力が終了する）ことによって、インターネット端末ｂとの回線が接続された状態となり、両端末間における音声通話が開始される。
【０１０６】
次に、制御部１０は、ｓ２７０の処理による要求にインターネット端末ｂが応答したかどうかをチェックする（ｓ２８０）。
【０１０７】
このｓ２８０の処理でインターネット端末ｂが応答しなければ（ｓ２８０：ＮＯ）、制御部１０は、転送中止操作が行われたかどうかをチェックする（ｓ２９０）。この「転送中止操作」とは、音声通話の転送を中止するための操作であって、本実施形態においては、ｓ２４０の処理の後で送受話器類の操作キー４２、９３を構成する転送キーを再度押下する、といった操作のことである。
【０１０８】
このｓ２９０の処理で転送中止操作が行われたら（ｓ２９０：ＹＥＳ）、制御部１０は、ｓ２７０の処理による接続の要求を中止して（ｓ３００）、ｓ２４０の処理へ戻る。このｓ３００の処理においては、ｓ２７０の処理で開始されたインターネット端末ｂとの間における各種信号の入出力を中止することによって、接続の要求を中止する。
【０１０９】
一方、ｓ２９０の処理で転送中止操作が行われていなければ（ｓ２９０：ＮＯ）、制御部１０は、ｓ２８０の処理へ戻る。
【０１１０】
また、ｓ２８０の処理でインターネット端末ｂが応答したら（ｓ２８０：ＹＥＳ）、制御部１０は、電話端末ａとの回線が接続された状態を維持したまま、インターネット端末ｂとの回線をも接続された状態とする（ｓ３１０）。この処理においては、まず、複合機１外部との音声信号の入出力に使用する伝送経路として、回線制御部７０から電話回線網１００に至る経路だけでなく、回線制御部７０からインターネット網２００（つまり通信制御部６０）に至る経路をも設定するための制御信号が回線制御部７０に出力される。この制御信号を入力した回線制御部７０が、上述の伝送経路として、電話回線網１００から回線制御部７０に至る経路、および、通信制御部６０から回線制御部７０に至る経路を設定し、これらの経路それぞれが複合機１外部との音声信号の入出力に使用可能な状態とする。そして、ｓ１７０またはｓ２００の処理で設定された伝送経路が電話回線網１００および通信制御部６０それぞれに接続されることによって、複合機１から電話端末ａに至る伝送経路が形成された状態を維持したまま、複合機１からインターネット端末ｂに至る伝送経路が形成（コネクションが確立）され、複合機１とインターネット端末ｂとの回線も接続された状態となる。これによって、複合機１と電話端末ａとの間における音声通話だけでなく、複合機１とインターネット端末ｂとの間における音声通話、つまり、複合機１と両端末との間における三者間の音声通話が開始される。
【０１１１】
次に、制御部１０は、オンフック操作が行われるまで待機する（ｓ３２０：ＮＯ）。
【０１１２】
このｓ３２０の処理で、オンフック操作が行われたら（ｓ３２０：ＹＥＳ）、制御部１０は、音声信号の中継を開始する（ｓ３３０）。この処理においては、音声信号の中継を開始するための制御信号が回線制御部７０に出力され、この制御信号を入力した回線制御部７０が音声信号の中継を開始する。具体的には、回線制御部７０が、制御信号を入力した以降、電話回線網１００から回線制御部７０に至る第１経路から入力される音声信号を、通信制御部６０から回線制御部７０に至る第２経路へ出力する一方、第２経路から入力される音声信号を第１経路へ出力することによって、電話端末ａとインターネット端末ｂとの間における音声信号の中継を開始する。このようにして、複合機１経由で音声通話の転送が行われることになる。
【０１１３】
次に、制御部１０は、複合機１外部との間で入出力される音声信号が送受話器類から入出力されない状態とする（ｓ３２０）。この処理においては、ｓ２３０の処理と同様に、ｓ１７０またはｓ２００の処理で設定された伝送経路を解除するための制御信号が回線制御部７０に出力され、この制御信号を入力した回線制御部７０が、送受話器類から回線制御部７０に至る経路の設定を解除し、この経路に、複合機１外部との間で入出力される音声信号が入出力されない状態とする。なお、このｓ３４０の処理では、複合機１から電話端末ａに至る伝送経路、および、複合機１からインターネット端末ｂに至る伝送経路は開放されず、回線制御部７０に接続された状態とされ、複合機１と両端末との回線は接続された状態のまま維持される。
【０１１４】
次に、制御部１０は、電話端末ａとインターネット端末ｂとの間における音声通話が終了したことを検出するまで待機する（ｓ３５０：ＮＯ）。この処理においては、電話回線網１００から、複合機１との回線を切断したことを示す終話信号（ビジートーン）が入力されたことが、両端末間における音声通話が終了したこととして検出される。通常、電話回線網１００を介した音声通話においては、電話端末ａで複合機１との回線を切断する操作が行われた以降、電話端末ａ最寄りの交換機からビジートーンが出力されてくる。そのため、電話回線網１００からのビジートーンの入力を、電話端末ａとインターネット端末ｂとの間における音声通話が終了したこととみなすことができる。なお、こうして電話回線網１００からビジートーンを入力した以降、複合機１は、交換機との回線が開放された状態となる。
【０１１５】
このｓ３５０の処理で、電話端末ａとインターネット端末ｂとの間における音声通話が終了したことを検出したら（ｓ３５０：ＹＥＳ）、制御部１０は、電話端末ａおよびインターネット端末ｂとの回線それぞれを切断する（ｓ３６０）。この処理においては、電話端末ａ最寄りの交換機との回線を開放することにより、この交換機との回線が切断した状態とされ、さらに、インターネット端末ｂとの回線を切断（コネクションの解放）するための各種信号の入出力が行われた後、このインターネット端末ｂとの回線が切断された状態となる。
【０１１６】
そして、このｓ３６０の処理を終えた後、制御部１０は、ｓ１１０の処理へ戻る。
【０１１７】
なお、制御部１０は、上述した通話処理とは別に、インターネット端末ｂとの回線が接続された状態となってから、電話回線網１００経由で電話端末ａとの回線が接続された状態となる第２の通話処理をも実行可能である。しかし、その処理内容は、上述の通話処理のうち、電話回線網１００および電話端末ａに拘わる内容をインターネット網２００およびインターネット端末ｂに拘わる内容に置き換えると共に、インターネット網２００およびインターネット端末ｂに拘わる内容を電話回線網１００および電話端末ａに拘わる内容に置き換えただけの処理内容であるため詳細な説明は省略する。
【０１１８】
また、制御部１０は、上述した通話処理とは別に、インターネット端末ｂとの回線が接続された状態となってから、さらに別のインターネット端末（例えば、図３におけるパーソナルコンピュータ（以降、インターネット端末とする））ｃとの回線が接続された状態となる第３の通話処理をも実行可能である。しかし、その処理内容は、上述の通話処理のうち、電話回線網１００および電話端末ａに拘わる内容をインターネット網２００およびインターネット端末ｂに拘わる内容に置き換えると共に、インターネット端末ｂに拘わる内容をインターネット端末ｃに拘わる内容に置き換えただけであって、さらに、ｓ３５０の処理において、インターネット網２００から複合機１との回線を切断（コネクションを解放）するための各種信号が入力されたことを、両端末間における音声通話が終了したこととして検出するように構成されているだけの処理内容であるため詳細な説明は省略する。
【０１１９】
（実施例１の効果）
このように構成された複合機１によれば、図２におけるｓ１７０の処理で電話端末ａまたはインターネット端末ｂ（以降、第１相手側端末とする）との回線が接続された状態で、ｓ２４０の処理において転送操作を行うことによって、ｓ２７０の処理でインターネット端末ｂ、電話端末ａまたはインターネット端末ｃ（以降、第２相手側端末とする）に対して接続を要求（または−端末を発呼）し、この要求（または発呼）に第２相手側端末が応答した場合（ｓ２８０の処理）には、この端末との回線をも接続された状態とすることができる。そして、このような状態となった以降、第１相手側端末との間で入出力される音声信号に基づく音声だけでなく、第２相手側端末との間で入出力される音声信号に基づく音声を、送受話器から入出力させることができるため、複合機１、第１相手側端末および第２相手側端末による三者間での音声通話を実現できる。そのため、電話回線網１００に接続された電話端末ａとの音声通話に、インターネット網２００に接続されたインターネット端末ｂを参加させた三者間での音声通話を行うといった用途に使用することができる。
【０１２０】
また、図２におけるｓ３１０の処理で第１、第２相手側端末それぞれとの回線が接続された状態となった後に、ｓ３３０の処理によって、両端末間における音声信号の中継が行われる。そのため、第１相手側端末との音声通話中に、第２相手側端末を呼び出して、その後、第１相手側端末と第２相手側端末との間における音声通話を実現する、といった転送機能を実現することができる。
【０１２１】
また、図２におけるｓ２４０の処理において、利用者は、転送操作で第２相手側端末を指定することによって、この端末への発呼を複合機１（制御部１０）に指令することができる。そのため、第１相手側端末との間で音声通話を行っている複合機１の利用者が、転送操作により第２相手側端末を指定することによって、この端末この端末と複合機１との回線の接続を複合機１に要求させる（または−端末を複合機１に発呼させる）ことができる。
【０１２２】
また、図２におけるｓ３３０の処理で音声信号を中継する際、電話回線網１００から回線制御部７０に至る第１経路に入力される音声信号が通信制御部６０から回線制御部７０に至る第２経路へ出力される一方、第２経路から入力される音声信号が第１経路へ出力される。このとき、第１経路から入力される音声信号は通信制御部６０によりパケット単位のデータに変換された後、インターネット網２００へ出力される。また、インターネット網２００からはパケット単位のデータ化された音声信号が入力され、このデータが通信制御部６０により音声信号化された後、第２経路へ出力される。このように、電話端末ａ（またはインターネット端末ｂ）とインターネット端末ｂ（電話端末ａ）との間で音声信号の中継を行う場合には、一方の端末から入力される音声信号を、出力先となる網において伝送可能な信号形式に変換したうえで他方の端末へ向けて出力することができる。
【０１２３】
また、図２におけるｓ１７０の処理で第１相手側端末との回線が接続された以降、ｓ３２０の処理でオンフック操作が行われる、といった条件（中継開始条件）が成立した際に、ｓ３３０の処理で音声信号の中継を開始することができる。
【０１２４】
また、図２におけるｓ３１０の処理で第１、第２相手側端末それぞれとの回線が接続された以降、ｓ３５０の処理で両端末による音声通話が終了したことが検出された際、ｓ３６０の処理で両端末との回線を切断した状態とすることができる。よって、第１、第２相手側端末間における二者間の音声通話が開始された以降、複合機１を操作する利用者がいないときに音声通話が終了した場合でも、両端末との回線が接続されたままとなってしまうといったことを防止できる。
【０１２５】
また、図２におけるｓ３５０の処理では、電話回線網１００（電話端末ａ最寄りの交換機）から、複合機１との回線を切断したことを示す終話信号（ビジートーン）が入力されたことを、両端末間における音声通話が終了したこととして検出することができる。また、インターネット網２００（インターネット端末ｂまたはｃ）から、複合機１との回線を切断（コネクションを解放）するための各種信号が入力されたことを、両端末間における音声通話が終了したこととして検出することができる。
【０１２６】
（実施例２）
複合機２は、第１実施形態に記載の複合機１と同様の構成であり、一部処理内容が異なっているだけであるため、この相違点についてのみ詳述する。
【０１２７】
−複合機２の制御部１０が実行する通話処理−
以下に、複合機２の備える制御部１０が実行する通話処理の処理手順を、図４に基づいて説明する。この通話処理は、複合機２が起動（電源ＯＮ）してから終了（電源ＯＦＦ）するまでの間、繰り返し実行される。
【０１２８】
まず、制御部１０は、電話回線網１００経由で電話端末（例えば、図３における電話端末ａ）から着信を受けるまで待機する（ｓ４１０：ＮＯ）。
【０１２９】
このｓ４１０の処理で電話端末ａから着信を受けたら（ｓ４１０：ＹＥＳ）、制御部１０は、呼出音の出力を開始させる（ｓ４２０）。この処理は、図２におけるｓ１２０の処理と同様に、ユーザＩ／Ｆ４０のスピーカ部４６および子機端末９０の再生部９５による呼出音の出力が開始される。また、この４２０の処理においては、呼出音のユーザＩ／Ｆ４０による出力回数のカウントが開始される。
【０１３０】
次に、制御部１０は、ｓ４２０の処理で開始された呼出音の出力回数が所定の回数（本実施形態においては、５回）に到達したかどうかをチェックする（ｓ４３０）。
【０１３１】
このｓ４３０の処理で、呼出音の出力回数が所定の回数に到達していなければ（ｓ４３０：ＮＯ）、制御部１０は、ｓ４１０の処理で受けた着信が継続しているかどうかをチェックし（ｓ４４０）、継続していれば（ｓ４４０：ＹＥＳ）、ｓ４３０の処理へ戻る。なお、このｓ４４０の処理においては、ｓ４１０の処理で受けた着信が継続していれる場合に、他の処理、例えば、複合機２の利用者がオフフック操作を行ったかどうかのチェックを行うといった処理を行うことも考えられるが、このような処理は、第１実施形態の図２におけるｓ１３０以降の処理と同様の処理であるため、本第２実施形態においては省略する。
【０１３２】
一方、ｓ４４０の処理で着信が継続していなければ（ｓ４４０：ＮＯ）、制御部１０は、呼出音の出力を終了させる（ｓ４５０）。この処理においては、図２におけるｓ１５０、ｓ１６０の処理と同様に、ユーザＩ／Ｆ４０のスピーカ部４６および子機端末９０の再生部９５による呼出音の出力が終了する。
【０１３３】
このｓ４５０の処理を終えた後、制御部１０は、ｓ４１０の処理へ戻る。
【０１３４】
また、ｓ４３０の処理で、呼出音の出力回数が所定の回数に到達していれば（ｓ４３０：ＹＥＳ）、制御部１０は、呼出音の出力を終了させる（ｓ４６０）。この処理は、ｓ４５０の処理と同様の処理である。
【０１３５】
次に、制御部１０は、複合機２外部との間で入出力される音声信号の伝送先および伝送元の伝送経路として、録再部１２から回線制御部７０に至る経路を設定させると共に、複合機２と電話端末ａとの回線を接続する（ｓ４７０）。この処理においては、録再部１２から回線制御部７０に至る経路を上述の伝送経路として設定するための制御信号が回線制御部７０に出力され、この制御信号を入力した回線制御部７０が、録再部１２から回線制御部７０に至る経路を上述の伝送経路として設定し、この経路に、複合機２外部との間で入出力される音声信号が入出力可能な状態とする。また、このｓ１７０の処理においては、設定された伝送経路が電話回線網１００に接続されることによって、複合機２から電話端末ａに至る伝送経路が形成され、複合機２と電話端末ａとの回線が接続された状態となる。
【０１３６】
次に、制御部１０は、留守録の対応を開始させる（ｓ４８０）。この「留守録の対応」とは、録再部１２のメッセージ再生部１２ａに留守録メッセージを再生させることにより、留守録メッセージの音声信号を電話回線網１００経由で電話端末ａへ向けて出力させることと、この音声信号が出力された後に、電話端末ａから電話回線網１００を介して入力される音声信号をメッセージ録音部１２ｂに記録させることである。このｓ４８０の処理においては、この対応を開始させるための制御信号が録再部１２に出力され、この制御信号を受けた録再部１２が留守録の対応を開始する。
【０１３７】
次に、制御部１０は、電話端末ａから転送指令を受けたかどうかをチェックする（ｓ４９０）。この「転送指令」とは、インターネット網２００に接続されたインターネット端末（例えば、図３における複合機（複合機２と同様の構成；以降、インターネット端末とする）ｂ）への音声通話の転送を指令することであって、外部からのＤＴＭＦ（Dual Tone Multi Frequency）信号により行うことができる。具体的には、電話端末ａの利用者がダイヤルボタンなどの操作により、インターネット端末ｂのＩＰアドレスを構成する数字それぞれに相当する複数のＤＴＭＦ信号を連続して複合機２へ向けて出力することになる。例えば、インターネット端末ｂのＩＰアドレスがＩＰｖ４（Internet Protocol Version 4）の１０進表記で「ＸＸ．ＸＸ．ＸＸ．ＸＸ（Ｘは任意の数字）」の場合、電話端末ａの利用者は、各数字「Ｘ」に対しては同じ数字のダイヤルボタンを押下し、「．」に対しては「＊」を押下することにより、インターネット端末ｂを指定する。これによって、電話端末ａからインターネット端末ｂへの音声通話の転送を複合機２に指令することができる。このｓ４９０の処理においては、転送指令のための信号（指令信号）として、電話端末ａから電話回線網１００を介してＩＰアドレスに対応する組み合わせとなっている複数のＤＴＭＦ信号を入力したかどうかがチェックされる。
【０１３８】
このｓ４９０の処理で転送指令を受けていなければ（ｓ４９０：ＮＯ）、制御部１０は、ｓ４８０の処理で開始した留守録の対応が終了していなければ（ｓ５００：ＮＯ）、ｓ４９０の処理へ戻り、留守録の対応が終了していれば（ｓ５００：ＹＥＳ）、ｓ４７０の処理で設定された伝送経路を解除させると共に、複合機２と電話端末ａとの回線を切断する（ｓ５１０）。この処理においては、ｓ４７０の処理で設定された伝送経路を解除するための制御信号が回線制御部７０に出力され、この制御信号を入力した回線制御部７０が、録再部１２から回線制御部７０に至る経路の設定を解除し、この経路に、複合機２外部との間で入出力される音声信号が入出力されない状態とする。また、このｓ５１０処理においては、設定された伝送経路が解除されることに伴い、この伝送経路が電話回線網１００から切断され、これによって、複合機２から電話端末ａに至る伝送経路が開放され、複合機２と電話端末ａとの回線が切断された状態となる。
【０１３９】
このｓ５１０の処理を終えた後、制御部１０は、ｓ４１０の処理へ戻る。
【０１４０】
また、ｓ４９０の処理で転送指令を受けたら（ｓ４９０：ＹＥＳ）、制御部１０は、ｓ４８０の処理で開始された留守録の対応を終了させる（ｓ５２０）。この処理においては、ｓ４８０の処理で開始された留守録の対応を終了させるための制御信号が録再部１２に出力され、この制御信号を受けた録再部１２が留守録の対応を終了する。
【０１４１】
次に、制御部１０は、ｓ４７０の処理で設定された伝送経路を解除させる（ｓ５３０）。この処理においては、ｓ５１０の処理と同様に、ｓ４７０の処理で設定された伝送経路を解除するための制御信号が回線制御部７０に出力され、この制御信号を入力した回線制御部７０が、録再部１２から回線制御部７０に至る経路の設定を解除し、この経路に、複合機２外部との間で入出力される音声信号が入出力されない状態とする。なお、このｓ５３０の処理では、複合機２から電話端末ａに至る伝送経路は開放されず、複合機２と電話端末ａとの回線は接続された状態のまま維持される。
【０１４２】
次に、制御部１０は、ｓ４９０の処理における転送指令により指定されたインターネット端末ｂとの回線の接続を要求する（ｓ５４０）。この処理においては、転送指令により指定されたＩＰアドレスのインターネット端末ｂとの回線を接続（コネクションを確立）するための各種信号の入出力を開始する。なお、複合機２は、このｓ５１０の処理による要求にインターネット端末ｂが応答する（各種信号の入出力が終了する）ことによって、インターネット端末ｂとの回線が接続された状態となり、両端末間における音声通話が開始される。
【０１４３】
次に、制御部１０は、タイマーをスタートさせる（ｓ５５０）。
【０１４４】
次に、制御部１０は、ｓ５４０の処理による要求にインターネット端末ｂが応答したかどうかをチェックする（ｓ５６０）。
【０１４５】
このｓ５６０の処理でインターネット端末ｂが応答しない場合（ｓ５６０：ＮＯ）、制御部１０は、タイマーのカウント値ｔ１が所定時間ｔ０（本実施形態においては、１０秒）に到達していなければ（ｓ５７０：ＮＯ）、ｓ５６０の処理へ戻る。
【０１４６】
一方、ｓ５７０の処理でカウント値ｔ１が所定時間ｔ０に到達（ｔ０≦ｔ１）していたら（ｓ５７０：ＹＥＳ）、タイマーをストップおよびリセットした後（ｓ５８０）、ｓ４１０の処理へ戻る。
【０１４７】
また、ｓ５６０の処理でインターネット端末ｂが応答した場合（ｓ５６０：ＹＥＳ）、制御部１０は、タイマーをストップおよびリセットした後（ｓ５９０）、音声信号の中継を開始する（ｓ６００）。この処理においては、図２におけるｓ３３０の処理と同様に、電話端末ａとインターネット端末ｂとの間における音声信号の中継が開始され、複合機２経由で音声通話の転送が行われる。なお、このような状態となった以降、電話端末ａとの間で入出力される音声信号に基づく音声だけでなく、インターネット端末ｂとの間で入出力される音声信号に基づく音声を、送受話器類から入出力させれば、複合機２、電話ａ端末およびインターネット端末ｂによる三者間での音声通話を実現できる。
【０１４８】
次に、制御部１０は、電話端末ａとインターネット端末ｂとの間における音声通話が終了したことを検出するまで待機する（ｓ６１０：ＮＯ）。この処理においては、図２におけるｓ３５０の処理と同様に、電話回線網１００から終話信号（ビジートーン）を入力するまで待機する。こうして電話回線網１００からビジートーンを入力した以降、複合機２は、交換機との回線が開放された状態となる。
【０１４９】
このｓ６１０の処理で、電話端末ａとインターネット端末ｂとの間における音声通話が終了したことを検出したら（ｓ６１０：ＹＥＳ）、制御部１０は、電話端末ａおよびインターネット端末ｂとの回線それぞれを切断する（ｓ６２０）。この処理においては、図２におけるｓ３６０の処理と同様に、電話端末ａ最寄りの交換機との回線が切断した状態とされ、さらに、インターネット端末ｂとの回線が切断された状態となる。
【０１５０】
そして、このｓ６２０の処理を終えた後、制御部１０は、ｓ４１０の処理へ戻る。
【０１５１】
なお、制御部１０は、インターネット端末ｂがインターネット網２００を介して複合機２にＤＴＭＦ信号を出力可能な端末である場合、上述した通話処理とは別に、インターネット端末ｂとの回線が接続された状態となってから、電話回線網１００経由で電話端末ａとの回線が接続された状態となる第２の通話処理をも実行可能である。しかし、その処理内容は、上述の通話処理のうち、電話回線網１００および電話端末ａに拘わる内容をインターネット網２００およびインターネット端末ｂに拘わる内容に置き換えると共に、インターネット網２００およびインターネット端末ｂに拘わる内容を電話回線網１００および電話端末ａに拘わる内容に置き換えただけであるため詳細な説明は省略する。
【０１５２】
また、制御部１０は、インターネット端末ｂがインターネット網２００を介して複合機２にＤＴＭＦ信号を出力可能な端末である場合、上述した通話処理とは別に、インターネット端末ｂとの回線が接続された状態となってから、さらに別のインターネット端末（例えば、図３におけるパーソナルコンピュータ（以降、インターネット端末とする）ｃ）との回線が接続された状態となる第３の通話処理をも実行可能である。しかし、その処理内容は、上述の通話処理のうち、電話回線網１００および電話端末ａに拘わる内容をインターネット網２００およびインターネット端末ｂに拘わる内容に置き換えると共に、インターネット端末ｂに拘わる内容をインターネット端末ｃに拘わる内容に置き換えただけであって、さらに、ｓ６１０の処理において、インターネット網２００から複合機１との回線を切断（コネクションを解放）するための各種信号が入力されたことを、両端末間における音声通話が終了したこととして検出するように構成されているだけの処理内容であるため詳細な説明は省略する。
【０１５３】
（実施例２の効果）
このように構成された複合機２によれば、図４におけるｓ４７０の処理で電話端末ａまたはインターネット端末ｂ（以降、第１相手側端末とする）との回線が接続された状態で、ｓ４９０の処理において転送指令を受けることによって、ｓ５４０の処理でインターネット端末ｂ、電話端末ａまたはインターネット端末ｃ（以降、第２相手側端末とする）に対して接続を要求（または−端末を発呼）し、この要求（または発呼）に第２相手側端末が応答した場合（ｓ５６０の処理）には、この端末との回線をも接続された状態とすることができる。そして、このような状態となった以降、第１相手側端末との間で入出力される音声信号に基づく音声だけでなく、第２相手側端末との間で入出力される音声信号に基づく音声を、送受話器類から入出力させれば、複合機２、第１相手側端末および第２相手側端末による三者間での音声通話を実現できる。そのため、電話回線網１００に接続された電話端末ａとの音声通話に、インターネット網２００に接続されたインターネット端末ｂを参加させた三者間での音声通話を行うといった用途に使用することができる。
【０１５４】
また、図４におけるｓ６００の処理によって、電話端末ａおよびインターネット端末ｂ間における音声信号の中継が行われる。そのため、第１相手側端末との音声通話中に、第２相手側端末を呼び出して、その後、第１相手側端末と第２相手側端末との間における音声通話を実現する、といった転送機能を実現することができる。
【０１５５】
また、図４におけるｓ４９０の処理において、第１相手側端末の利用者は、転送指令としてＤＴＭＦ信号で第２相手側端末を指定することによって、この端末への発呼を複合機２（制御部１０）に指令することができる。そのため、複合機２との間で回線を接続した状態とした第１相手側端末の利用者が、ＤＴＭＦ信号により第２相手側端末を指定することによって、この端末と複合機２との回線の接続を複合機２に要求させる（または−端末を複合機２に発呼させる）ことができる。
【０１５６】
また、図４におけるｓ６００の処理で音声信号を中継する際、電話回線網１００から回線制御部７０に至る第１経路に入力される音声信号が通信制御部６０から回線制御部７０に至る第２経路へ出力される一方、第２経路から入力される音声信号が第１経路へ出力される。このとき、第１実施形態と同様に、電話端末ａ（またはインターネット端末ｂ）とインターネット端末ｂ（電話端末ａ）との間で音声信号の中継を行う場合には、一方の端末から入力される音声信号を、出力先となる網において伝送可能な信号形式に変換したうえで他方の端末へ向けて出力することができる。
【０１５７】
また、図４におけるｓ４７０の処理で第１相手側端末との回線が接続された以降、ｓ５６０の処理で第２相手側端末が応答する、といった条件（中継開始条件）が成立した際に、ｓ６００の処理で音声信号の中継を開始することができる。
【０１５８】
また、図４におけるｓ６００の処理で第１、第２相手側端末それぞれとの回線が接続された以降、ｓ６１０の処理で両端末による音声通話が終了したことが検出された際、ｓ６２０の処理で両端末との回線を切断した状態とすることができる。よって、第１、第２相手側端末間における二者間の音声通話が開始された以降、複合機２を操作する利用者がいなくても、両端末との回線が接続されたままとなってしまうといったことを防止できる。
【０１５９】
また、図４におけるｓ６１０の処理では、電話回線網１００（電話端末ａ最寄りの交換機）から、複合機２との回線を切断したことを示す終話信号（ビジートーン）が入力されたことを、両端末間における音声通話が終了したこととして検出することができる。また、インターネット網２００（インターネット端末ｂまたはｃ）から、複合機２との回線を切断（コネクションを解放）するための各種信号が入力されたことを、両端末間における音声通話が終了したこととして検出することができる。
【０１６０】
また、図４におけるｓ４９０の処理で電話端末ａからＤＴＭＦ信号が入力されることによって、ｓ５４０の処理でインターネット端末ｂへの接続の要求（または発呼）を行うことができる。そのため、複合機２との回線を接続した電話端末ａの利用者が、ダイヤルボタンなどの操作でＤＴＭＦ信号を複合機２へ出力させることによって、複合機２にインターネット端末ｂを発呼させることができる。
【０１６１】
通常、電話回線網１００に接続される周知の電話端末は、ダイヤルボタンなどの操作（押下）に伴ってＤＴＭＦ信号を電話回線網へ出力できるように構成されている。そのため、複合機２を、インターネット端末ｂを発呼する際の契機としてＤＴＭＦ信号を利用できるように構成することは、特別な信号形式の指令信号を出力する構成を備えていない電話端末からであっても、インターネット端末ｂへの発呼を指令することができるため好適である。
【０１６２】
また、図４におけるｓ５４０の処理では、ｓ４９０の処理で入力されたＤＴＭＦ信号の組み合わせに応じて、異なるＩＰアドレスのインターネット端末を、インターネット端末ｂとして接続を要求（または発呼）することができる。そのため、複合機２との間で音声通話を行っている電話端末ａ（またはインターネット端末ｂ）の利用者が、回線の接続（または発呼）を希望するインターネット端末ｂ（または電話端末ａ）に対応する複数のＤＴＭＦ信号をダイヤルボタンの操作により出力させることによって、電話端末ａ（またはインターネット端末ｂ）の利用者が希望するインターネット端末ｂ（または電話端末ａ、インターネット端末ｃ）への接続を複合機２に行わせる（または、−を複合機２に発呼させる）ことができる。
【０１６３】
また、図４におけるｓ４３０の処理で呼び出し回数が所定回数に到達した場合に、ｓ４７０の処理で伝送経路を設定することによって、複合機２と第２相手側端末との回線を接続された状態とすることができる。そのため、複合機２を操作する利用者がいなくても、ｓ５６０以降の処理で第１相手側端末と第２相手側端末との間における音声通話を実現することが期待できる。
【０１６４】
（本発明との対応関係）
以上説明した実施例において、複合機１、２は本発明における電話端末、電話端末ａ、インターネット端末ｂ、ｃは本発明における第１、第２相手側端末である。
【０１６５】
また、図２におけるｓ１７０、ｓ２００の処理で第１相手側端末との回線を接続した状態とし、ｓ２３０、ｓ２６０、ｓ３６０の処理で回線を切断した状態とする制御部１０および回線制御部７０は、本発明における第１接続手段である。また、図４におけるｓ４７０の処理で第１相手側端末との回線を接続した状態とし、ｓ５１０、ｓ６２０の処理で回線を切断した状態とする制御部１０および回線制御部７０は、本発明における第１接続手段である。
【０１６６】
また、図２におけるｓ３１０の処理で第２相手側端末との回線を接続した状態とし、ｓ３６０の処理で回線を切断した状態とする制御部１０および回線制御部７０は、本発明における第２接続手段である。また、図４におけるｓ５６０の処理の後に第２相手側端末との回線を接続した状態とし、ｓ６２０の処理で回線を切断した状態とする制御部１０、通信制御部６０および回線制御部７０は、本発明における第２接続手段である。
【図面の簡単な説明】
【０１６７】
【図１】実施形態における複合機の制御系統を示すブロック図
【図２】第１実施形態における通話処理の処理手順を示すフローチャート
【図３】実施形態におけるネットワーク構成を示す図
【図４】第２実施形態における通話処理の処理手順を示すフローチャート
【図５】別の実施形態における通話処理の一部処理手順を示すフローチャート
【図６】別の実施形態における通話処理の一部処理手順を示すフローチャート
【符号の説明】
【０１６８】
１、２          複合機
１０            制御部
１２            録再部
１２ａ          メッセージ再生部
１２ｂ          メッセージ録音部
２２            ハンドセット
２４            無線処理部
４０            ユーザインターフェース部
４２            操作キー
４４            表示パネル
４６            スピーカ部
６０            通信制御部
６２            ルータ制御部
６４            ハブ
６６            音声処理部
６８            変換部
７０            回線制御部
８０            バス
９０            子機端末
９１            制御部
９２            送受話部
９３            操作キー
９４            表示パネル
９５            再生部
９６            スピーカ部
９７            無線処理部。
【図１】
2006287983.tif 000003
【図２】
2006287983.tif 000004
【図３】
2006287983.tif 000005
【図４】
2006287983.tif 000006
【図５】
2006287983.tif 000007
【図６】
2006287983.tif 000008